(57)【要約】【課題】ＣＰＵの負荷を軽くしたＩＰ−ＰＢＸ装置を提供することを目的とする。【解決手段】ＩＰネットワークに接続され、パケットのフレーム情報に基づいてグループ化を行って端末との接続処理を行うＬＡＮスイッチを備えたＩＰ−ＰＢＸ装置であって、ＬＡＮスイッチには、ＩＰ−ＰＢＸ装置のＣＰＵに接続するためのＣＰＵインターフェースが設けられるとともに、ＬＥＤ表示制御機能、課金機能、優先処理機能、自動設定機能、転送機能の少なくともいずれかを実行するためにグループ化された端末の情報を基に、各グループの機能を分散処理するためのモジュール手段と、専用モジュールによって各グループの機能を分散処理する場合に接続処理を行うための専用ＭＡＣスイッチとそのインターフェースが設けられたことを特徴とする。【選択図】図１
2005184192.tif 000002
【特許請求の範囲】
【請求項１】
ＩＰネットワークに接続され、パケットのフレーム情報に基づいてグループ化を行って端末との接続処理を行うＬＡＮスイッチを備えたＩＰ−ＰＢＸ装置であって、前記ＬＡＮスイッチには、前記ＩＰ−ＰＢＸ装置のＣＰＵに接続するためのＣＰＵインターフェースが設けられるとともに、ＬＥＤ表示制御機能、課金機能、優先処理機能、自動設定機能、転送機能の少なくともいずれかを実行するためにグループ化された端末の情報を基に、各グループの機能を分散処理するためのモジュール手段と、専用モジュールによって各グループの機能を分散処理する場合に接続処理を行うための専用ＭＡＣスイッチとそのインターフェースが設けられたことを特徴とするＩＰ−ＰＢＸ装置。
【請求項２】
端末がＩＰ電話端末であって、該ＩＰ電話端末のＬＥＤ表示制御をテーブル化し、ＩＰ電話ＬＥＤテーブルのステータス状態に基づいて、パケット複製部によるＬＥＤ制御パケットのデータの複製及び宛先ＭＡＣアドレスのインクリメントを行い、スイッチファブリック部により（Ｎ−１）台のＩＰ電話端末に対して一斉に制御パケットを送信し、ＩＰ電話端末からの確認パケットを受信したときは、前記ＬＥＤ制御テーブルにそのステータスを反映することを特徴とする請求項１に記載のＩＰ−ＰＢＸ装置。
【請求項３】
イーサネット（登録商標）フレームのイーサタイプによりパケットデコード部がＩＰ電話の制御パケットをハードウェアトラップし、前記ＬＥＤ制御テーブルを常時更新することを特徴とする請求項１または２に記載のＩＰ−ＰＢＸ装置。
【請求項４】
前記専用モジュールとして、ＶｏＩＰ呼制御、アプリケーションサーバー、ルーター及びゲートウェイの各モジュールが搭載でき、前記専用ＭＡＣスイッチが前記ＬＡＮスイッチと各機能ブロックとをＭＩＩインターフェースで接続することを特徴とする請求項１記載のＩＰ−ＰＢＸ装置。
【請求項５】
前記ＬＡＮスイッチには、ＭＡＣアドレスまたはＩＰアドレスにより端末を特定し、該端末のトラフィック情報を収集して課金するためのマネージメント部とトラフィック情報をカウントするパケットカウンターが設けられたことを特徴とする請求項１記載のＩＰ−ＰＢＸ装置。
【請求項６】
前記ＬＡＮスイッチには、端末ごとに既知のＭＡＣアドレスによる優先制御設定が事前に組み込まれており、アドレス検索部が検索した共通のベンダＩＤを有すＩＰ電話端末の音声パケットがスイッチファブリック部及びＱｏＳ部により優先的に処理されることを特徴とする請求項１記載のＩＰ−ＰＢＸ装置。
【請求項７】
専用モジュールとして、ＤＨＣＰサーバーモジュールを搭載し、ＭＡＣアドレスにより端末の種別を区別したＩＰアドレスを付与することを特徴とする請求項１記載のＩＰ−ＰＢＸ装置。
【請求項８】
前記ＬＡＮスイッチのＶＬＡＮテーブルには、固有のＩＰアドレスまたはＭＡＣアドレスを使って音声ＶＬＡＮを自動設定するためのインデックスが予め確保されていることを特徴とする請求項１記載のＩＰ−ＰＢＸ装置。
【請求項９】
前記ＬＡＮスイッチには転送先テーブルが設けられ、アドレス検索部が該転送先テーブルを検索して、不在時に転送先の電話種別を選択して転送することができることを特徴とする請求項１記載のＩＰ−ＰＢＸ装置。
【発明の詳細な説明】
【技術分野】
【０００１】
本発明は、ＩＰネットワークを介してＩＰ電話端末と音声交換するとともにコンピュータ装置等の端末と通信できるＩＰ−ＰＢＸ装置に関するものである。
【背景技術】
【０００２】
従来のＩＰ−ＰＢＸ装置及びそれに接続されるＩＰ電話の呼制御の構成を図１２、図１３に基づいて説明する。図１２は従来のＩＰ−ＰＢＸ装置のＬＡＮスイッチブロック図、図１３は従来のＩＰ電話の基本的な呼制御手順を示すシーケンスチャートである。
【０００３】
図１２において、１はＭＡＣ（Media Access Control）部、２は受信フレームバッファのＲｘＦＩＦＯ／送信フレームバッファのＴｘＦＩＦＯを備えたＦＩＦＯ（First-In First-Out）部、３はパケットデコード部、４はアドレス検索部、６はスイッチファブリック部、７はＱｏＳ（Quality of Service）部、８はＭＡＣテーブル、９はＶＬＡＮ（Virtual LAN）テーブル、１１はパケットバッファ、１２はＬＥＤインターフェース、１３はシリアルインターフェース、１４はＣＰＵインターフェース、１５はマネージメント部、１６はコンフィギュレーションレジスタ、１７はＭＤＩＯ（Multi-Point Discrete I/O）インターフェースである。
【０００４】
ＩＰ−ＰＢＸ装置に接続された端末からの受信パケットは、ＭＡＣ部１で処理を行って、受信フレームバッファであるＦＩＦＯ部２のＲｘＦＩＦＯに格納される。そしてパケットデコード部３においては宛先アドレスの４８ビットをデコードし、宛先不明のアドレスはブロードキャスト及びゲートウェイに転送し、ＴＣＰ／ＵＤＰポート番号、ＩＰアドレス、プロトコルナンバー、ＤＳ／ＴＯＳ、イーサタイプといったパラメータの識別を行う。アドレス検索部４においては、イーサネット（登録商標）フレームの送信元アドレスと受信したポート番号をアドレステーブルに記録するアドレス学習処理、送信ポートを決定するアドレス探索処理等を行う。また、パケット複製部５においてはデータ複製を行う。
【０００５】
次に、スイッチファブリック部６においては、ＭＡＣテーブル８やＶＬＡＮテーブル９に基づいて出力ポートを検索し、パケットバッファ１１に高速転送する。このときＱｏＳ部７において一定の通信品質を確保し、ＴｘＦＩＦＯからＭＡＣ部１を経由して外部ポートへ転送する。
【０００６】
続いて図１３において、２１，２２はＩＰ電話、２３，２４はＩＰ−ＰＢＸ装置、２５はＩＰネットワーク網、２６はプロバイダの呼制御用サーバー、Ａ，Ｂ，Ｃは発信側のユーザー、Ｄ，Ｅ，Ｆは着信側のユーザーである。
【０００７】
まず、ＩＰ−ＰＢＸ装置２３，２４はレガシーのためのＰＳＴＮ網に接続できるゲートウェイ機能、ＩＰ電話との呼制御を行うＶｏＩＰ（Voice over Internet Protocol）呼制御機能、接続された端末のパケットルーティングを行うＬＡＮスイッチ機能、アプリケーションレベルのサービスを提供するサーバー機能、ＩＰネットワークと接続するためのルーター機能等を備えており、それに伴ってこれら各機能を実現するカード（専用モジュール）を装着する物理的インターフェースを備えている。
【０００８】
次に、ＩＰネットワークを経由してＩＰ電話同士で通話するまでのフローについて図１３を用いて以下説明する。呼制御はＩＰ電話２１，２２、ＩＰ−ＰＢＸ装置２３，２４とプロバイダに置かれた呼制御用サーバー２６が分担する。呼制御用サーバー２６はＳＩＰサーバーであり、ＩＰ−ＰＢＸ装置２３，２４と呼制御用サーバー２６の間はプロトコル
ＳＩＰ（Session Initiation Protocol）で呼制御情報を通信する。
【０００９】
まず、ＩＰ電話２１のユーザーＡがＩＰ電話２２のユーザーＤに電話をかけるため、Ａ傍のＩＰ電話２１（以下、ＩＰ電話２１Ａ）の受話器をとりオフフックすると（ｓｑ１）、ＩＰ−ＰＢＸ装置２３はＩＰ電話２１Ａに対して外線１を捕捉したことを示すＬＥＤ１を緑に点灯するように指示するＬＥＤ制御パケットを送信する（ｓｑ２）。同時にＢ傍のＩＰ電話２１（以下、ＩＰ電話２１Ｂ）、Ｃ傍のＩＰ電話２１（以下、ＩＰ電話２１Ｃ）にはＬＥＤ１を赤に点灯するようにＬＥＤ制御パケットを送信する（ｓｑ３）。それに対して各ＩＰ電話２１Ａ，Ｂ，ＣはＩＰ−ＰＢＸ装置２３にＬＥＤを点灯したことを示すＬＥＤ確認応答パケットを返信する（ｓｑ４）。
【００１０】
次に、ユーザーＡがユーザーＤの電話番号をダイヤルするパケットを送信すると（ｓｑ５）、ＩＰ−ＰＢＸ装置２３はその電話番号を認識し、そのダイヤルされた電話番号を基にＳＩＰ  ＵＲＩ（Uniform Resource Identifier）、例えば「ｓｉｐ：ｘｘｘｘ＠ｅｘａｍｐｌｅ．ｃｏｍ」という識別情報を生成する。そしてＩＰ−ＰＢＸ装置は通話相手を呼び出すための要求メッセージ（ＩＮＶＩＴＥ）をプロバイダの呼制御用サーバー２６へ送信する（ｓｑ６）。
【００１１】
ここで、呼制御用サーバー２６は上述したようにＳＩＰサーバーであって電話番号とＩＰアドレスの関係を管理しており、自身のデーターベースを検索することで電話番号から通話相手であるユーザーＤのＩＰ電話２２のＩＰアドレスを調べて、相手側のＩＰ−ＰＢＸ装置２４にＩＮＶＩＴＥメッセージを転送する（ｓｑ７）。このとき発呼側に対しては呼び出しを試みていることを示すメッセージ（１００Ｔｒｙｉｎｇ）を通知する（ｓｑ８）。
【００１２】
一方、相手側のＩＰ−ＰＢＸ装置２４はＩＮＶＩＴＥメッセージを受け取ると、直ちにＤ傍のＩＰ電話２２（以下、ＩＰ電話２１Ｄ）に外線１から着信したことを示すＬＥＤ１を緑に点滅するように指示するＬＥＤ制御パケットを送信する（ｓｑ９）。同時にＥ傍のＩＰ電話２２（以下、ＩＰ電話２２Ｅ）、Ｆ傍のＩＰ電話２２（以下、ＩＰ電話２２Ｆ）にはＬＥＤ１を赤に点灯するようにＬＥＤ制御パケットを送信する（ｓｑ１０）。これに対してＩＰ電話２２Ｄ，Ｅ，ＦはそれぞれＩＰ−ＰＢＸ装置２４にＬＥＤを点滅および点灯したことを示すＬＥＤ確認応答パケットを返信する（ｓｑ１１）。そしてＩＰ電話２２Ｄのベルを鳴らし（ｓｑ１２）、呼び出し中であることを示す応答メッセージ（１８０Ｒｉｎｇｉｎｇ）を呼制御用サーバー２６に送信する（ｓｑ１３）。呼制御用サーバー２６はこの応答メッセージを受信し、ＩＰ−ＰＢＸ装置２３側に転送する（ｓｑ１４）。さらにＩＰ−ＰＢＸ装置２３は受話器に呼び出し中音を鳴らすようにＩＰ電話２１Ａに制御パケットを送信する（ｓｑ１５）。
【００１３】
次いでＤが受話器を取りオフフックすると（ｓｑ１６）、ＩＰ−ＰＢＸ装置２４が呼び出し成功のメッセージ（２００ＯＫ）を送信する（ｓｑ１７）。このメッセージは呼制御用サーバー２６経由でＩＰ−ＰＢＸ装置２３に着信し（ｓｑ１８）、ＩＰ−ＰＢＸ装置２３はその応答をＩＰ−ＰＢＸ装置２４に送信するとともに（ｓｑ１９）、ＩＰ電話２１Ａの呼び出し音を停止するための制御パケットを送信し（ｓｑ２０）、一連の電話をかける手順が完了し、通話できる状態となる。
【００１４】
しかしながら、発信および着信に伴うすべてのＩＰ電話のＬＥＤ制御は、ＩＰ−ＰＢＸ装置に内蔵された中央演算処理装置（以下、ＣＰＵ）によって行われており、一瞬のうちにすべてのＩＰ電話にＬＥＤ制御パケットを一斉に送信する必要があるため、収容可能なＩＰ電話の端末数はそのＣＰＵのパケット処理能力に依存している。従って、物理的なポート数に制限を受けないＩＰ電話では呼制御処理能力の向上が望まれている。なお、先行
技術としては、このようなＣＰＵによるＬＥＤ制御に関するものではないが、電話の受信状況の変化に応じて、任意の端末側で任意のタイミングで、グループパターンの切換えを適宜容易に行うことができる電話端末のグルーピングシステムツールに関するものがある（特許文献１参照）。
【特許文献１】特開２００１−１８６２４６号公報
【発明の開示】
【発明が解決しようとする課題】
【００１５】
従来のＩＰ−ＰＢＸ装置においては、ＩＰ電話の呼制御処理をすべてソフトウェアで処理しているためＣＰＵ負荷が重く、とくに発信及び着信に伴うすべてのＩＰ電話のＬＥＤ制御は、一瞬のうちにすべてのＩＰ電話に対してＬＥＤ制御パケットを一斉に送信及び確認する必要があるため、ＩＰ電話はハブ増設により物理的なポート数に制限を受けずに増設可能という特徴があるにもかかわらず、ＣＰＵの呼制御処理能力不足のためＩＰ電話端末を増設できないという問題があった。
【００１６】
また従来のＩＰ−ＰＢＸ装置は、ＬＥＤ制御パケットを認識するためＵＤＰ（User Datagram Protocol）のポート番号を使用しているが、レイヤ４レベルのパケット解析、分類はＣＰＵ負荷が重くなるという問題があり、さらに、特有の内部拡張用のインターフェースが必要にもかかわらず、汎用のＬＡＮスイッチデバイスを使用した場合には、内部拡張の数だけポート数が減少するという問題もあった。
【００１７】
また、従来のＩＰ−ＰＢＸ装置は特定の端末のトラフィック情報を収集して課金することができないし、何も設定しない自動設定ではＩＰ電話の音声パケットを優先処理することができず、従来のＩＰ−ＰＢＸ装置に対する音声ＶＬＡＮ設定は、ネットワークの知識をもったネットワーク管理者しか設定できず、設定が難しいという問題を有している。
【００１８】
さらに、従来のＩＰ−ＰＢＸ装置は、不在時に他の電話へ転送する機能や、通話料金が安い端末から優先的に呼び出すことができないという課題も有している。
【課題を解決するための手段】
【００１９】
上記課題を解決するために本発明は、ＩＰネットワークに接続され、パケットのフレーム情報に基づいてグループ化を行って端末との接続処理を行うＬＡＮスイッチを備えたＩＰ−ＰＢＸ装置であって、ＬＡＮスイッチには、ＩＰ−ＰＢＸ装置のＣＰＵに接続するためのＣＰＵインターフェースが設けられるとともに、ＬＥＤ表示制御機能、課金機能、優先処理機能、自動設定機能、転送機能の少なくともいずれかを実行するためにグループ化された端末の情報を基に、各グループの機能を分散処理するためのモジュール手段と、専用モジュールによって各グループの機能を分散処理する場合に接続処理を行うための専用ＭＡＣスイッチとそのインターフェースが設けられたことを主要な特徴とする。
【発明の効果】
【００２０】
本発明のＩＰ−ＰＢＸ装置は、ＣＰＵの負荷を軽くすることができ、接続可能なＩＰ電話端末数を増やすことができ、外部ポート数を削減することなしに内部インターフェースを拡張することができ、各端末のトラフィック情報を収集して課金することができ、音声パケットの優先制御をおこない音質遅延による音質劣化を少なくすることができ、ＰＣとＩＰ電話端末を区別したＩＰ電話の音声ＶＬＡＮを自動で簡単に設定することができ、不在時に携帯電話や加入者電話、および内外線ＩＰ電話等に転送でき、ユーザーに対して有益な効果を提供するものである。
【発明を実施するための最良の形態】
【００２１】
本発明は、ＣＰＵの負荷を軽くしたＩＰ−ＰＢＸ装置を提供することを目的として、Ｌ
ＡＮスイッチにＩＰ−ＰＢＸ装置のＣＰＵに接続するためのＣＰＵインターフェースが設けられるとともに、ＬＥＤ表示制御機能、課金機能、優先処理機能、自動設定機能、転送機能の少なくともいずれかを実行するためにグループ化された端末の情報を基に、各グループの機能を分散処理するためのモジュール手段と、専用モジュールによって各グループの機能を分散処理する場合に接続処理を行うための専用ＭＡＣスイッチとそのインターフェースを設けて、ＣＰＵの負荷を軽くすることができ、接続可能なＩＰ電話端末数を増やすことができ、外部ポート数を削減することなしに内部インターフェースを拡張することができ、各端末のトラフィック情報を収集して課金することができ、音声パケットの優先制御をおこない音質遅延による音質劣化を少なくすることができ、ＰＣとＩＰ電話端末を区別したＩＰ電話の音声ＶＬＡＮを自動で簡単に設定することができ、不在時に携帯電話や加入者電話、および内外線ＩＰ電話等に転送でき、ユーザーに対して有益な効果を提供するＩＰ−ＰＢＸを実現した。
【００２２】
上記課題を解決するためになされた第１の発明は、ＩＰネットワークに接続され、パケットのフレーム情報に基づいてグループ化を行って端末との接続処理を行うＬＡＮスイッチを備えたＩＰ−ＰＢＸ装置であって、ＬＡＮスイッチには、ＩＰ−ＰＢＸ装置のＣＰＵに接続するためのＣＰＵインターフェースが設けられるとともに、ＬＥＤ表示制御機能、課金機能、優先処理機能、自動設定機能、転送機能の少なくともいずれかを実行するためにグループ化された端末の情報を基に、各グループの機能を分散処理するためのモジュール手段と、専用モジュールによって各グループの機能を分散処理する場合に接続処理を行うための専用ＭＡＣスイッチとそのインターフェースが設けられたＩＰ−ＰＢＸ装置であり、ＩＰ−ＰＢＸ装置のＣＰＵとは別に、ＬＥＤ表示制御機能、課金機能、優先処理機能、自動設定機能、転送機能の少なくともいずれかを実行するモジュール手段を設け、ハードウェアで処理するためにＣＰＵの負荷を軽くすることができ、接続可能なＩＰ電話端末数を増やすことができるという効果を有するものである。
【００２３】
第２の発明は、第１の発明に従属する発明であって、端末がＩＰ電話端末であって、該ＩＰ電話端末のＬＥＤ表示制御をテーブル化し、ＩＰ電話ＬＥＤテーブルのステータス状態に基づいて、パケット複製部によるＬＥＤ制御パケットのデータの複製及び宛先ＭＡＣアドレスのインクリメントを行い、スイッチファブリック部により（Ｎ−１）台のＩＰ電話端末に対して一斉に制御パケットを送信し、ＩＰ電話端末からの確認パケットを受信したときは、ＬＥＤ制御テーブルにそのステータスを反映するＩＰ−ＰＢＸ装置であり、ハードウェアでＩＰ電話端末のＬＥＤを制御するためのテーブルを有するため、ＣＰＵの負荷を軽くすることができ、接続可能なＩＰ電話端末数を増やすことができるという効果を有するものである。
【００２４】
第３の発明は、第１または２の発明に従属する発明であって、イーサネット（登録商標）フレームのイーサタイプによりパケットデコード部がＩＰ電話の制御パケットをハードウェアトラップし、ＬＥＤ制御テーブルを常時更新するＩＰ−ＰＢＸ装置であり、ＬＥＤ制御パケットを判別するために、イーサネット（登録商標）フレームのイーサタイプを使用することにより、レイヤ２レベルでＬＥＤ制御パケットを識別できる。
【００２５】
第４の発明は、第１の発明に従属する発明であって、専用モジュールとして、ＶｏＩＰ呼制御、アプリケーションサーバー、ルーター及びゲートウェイの各モジュールが搭載でき、専用ＭＡＣスイッチがＬＡＮスイッチと各機能ブロックとをＭＩＩインターフェースで接続するＩＰ−ＰＢＸ装置であり、汎用スイッチとは別に内部拡張用にＭＩＩインターフェースを追加するために専用ＭＡＣスイッチを設けたため、外部ポート数を削減することなしに内部インターフェースを拡張することができる。
【００２６】
第５の発明は、第１の発明に従属する発明であって、ＬＡＮスイッチには、ＭＡＣアド
レスまたはＩＰアドレスにより端末を特定し、該端末のトラフィック情報を収集して課金するためのマネージメント部とトラフィック情報をカウントするパケットカウンターが設けられたＩＰ−ＰＢＸ装置であり、ＭＡＣアドレスカウンターまたはＩＰアドレスカウンターを設けるとともに、パケットカウンターを設けることにより、各端末のトラフィック情報を収集して課金することができる。
【００２７】
第６の発明は、第１の発明に従属する発明であって、ＬＡＮスイッチには、端末ごとに既知のＭＡＣアドレスによる優先制御設定が事前に組み込まれており、アドレス検索部が検索した共通のベンダＩＤを有すＩＰ電話端末の音声パケットがスイッチファブリック部及びＱｏＳ部により優先的に処理されるＩＰ−ＰＢＸ装置であり、共通のメーカーのＩＰ電話端末を識別するためにＭＡＣアドレスを事前に登録することにより音声パケットの優先制御を行い、音質遅延による音質劣化を少なくすることができる。
【００２８】
第７の発明は、第１の発明に従属する発明であって、専用モジュールとして、ＤＨＣＰサーバーモジュールを搭載し、ＭＡＣアドレスにより端末の種別を区別したＩＰアドレスを付与するＩＰ−ＰＢＸ装置であり、端末のＭＡＣアドレスを区別してＩＰアドレスを付与することが可能なＤＨＣＰサーバーを備えることにより、コンピュータ装置とＩＰ電話端末を区別したＩＰサブネットＶＬＡＮを自動で簡単に設定できるという効果を有するものである。
【００２９】
第８の発明は、第１の発明に従属する発明であって、ＬＡＮスイッチのＶＬＡＮテーブルには、固有のＩＰアドレスまたはＭＡＣアドレスを使って音声ＶＬＡＮを自動設定するためのインデックスが予め確保されているＩＰ−ＰＢＸ装置であり、ＬＡＮスイッチのＶＬＡＮテーブルに音声ＶＬＡＮの自動設定用としてインデックスを確保することにより、ＩＰ電話の音声ＶＬＡＮを自動で簡単に設定することができる。
【００３０】
第９の発明は、第１の発明に従属する発明であって、ＬＡＮスイッチには転送先テーブルが設けられ、アドレス検索部が該転送先テーブルを検索して、不在時に転送先の電話種別を選択して転送することができることを特徴とする請求項１記載のＩＰ−ＰＢＸ装置であり、転送先テーブルを備えてハードウェアルーティングすることにより、不在時に携帯電話や加入者電話、および内外線ＩＰ電話等に転送することができ、通話料金が安い電話端末から優先して呼び出すことができるという効果を有するものである。
【００３１】
（実施の形態１）
以下、本発明の実施の形態１のＬＡＮスイッチについて説明する。図１は本発明の実施の形態１におけるＩＰ−ＰＢＸ装置のＬＡＮスイッチブロック図、図２は本発明の実施の形態１におけるＩＰ電話ＬＥＤテーブルの説明図である。
【００３２】
図１において、１はＭＡＣ部、２は受信フレームバッファのＲｘＦＩＦＯ／送信フレームバッファのＴｘＦＩＦＯを備えたＦＩＦＯ部、３はパケットデコード部、４はアドレス検索部、５はパケット複製部、６はスイッチファブリック部、７はＱｏＳ部、８はＭＡＣテーブル、９はＶＬＡＮテーブル、１０はＩＰ電話ＬＥＤテーブル（ＬＥＤ制御テーブル）、１１はパケットバッファ、１２はＬＥＤインターフェース、１３はシリアルインターフェース、１４はＣＰＵインターフェース、１５はマネージメント部、１６はコンフィギュレーションレジスタ、１７はＭＤＩＯインターフェースである。
【００３３】
なお、実施の形態１のＬＡＮスイッチにおいては、ＭＡＣ部１、ＦＩＦＯ部２、パケットデコード部３、アドレス検索部４、パケット複製部５、スイッチファブリック部６、ＱｏＳ部７、マネージメント部１５、コンフィギュレーションレジスタ１６等がＬＡＮスイッチの各モジュール手段であり、ＭＡＣテーブル８、ＶＬＡＮテーブル９、ＩＰ電話ＬＥ
Ｄテーブル１０、マネージメント部１５の保有するＭＩＢが、グループ化された端末の情報に相当するものである。なお、後述するプライオリティテーブル９１（図７参照）、転送先テーブル１３１（図１１参照）も本発明のグループ化された端末の情報である。
【００３４】
以上のように構成されたＩＰ−ＰＢＸ装置とこれを用いた通信システムにおいて、以下その動作について説明する。なお、呼制御フローの説明に関しては、上述の背景技術で説明しているので省略する。
【００３５】
ＩＰ−ＰＢＸ装置に接続された端末からの受信パケットは、ＭＡＣ部１においてイーサネット（登録商標）ＭＡＣ層処理であるＩＥＥＥ８０２．３フレーム処理、アドレス処理、エラー検出処理等を行い、受信フレームバッファであるＦＩＦＯ部２のＲｘＦＩＦＯに格納される。そしてパケットデコード部３においてはアドレス学習のために送信元アドレス４８ビット、及びアドレス検索のために宛先アドレス４８ビットをデコードし、宛先不明のアドレスはブロードキャスト及びゲートウェイに転送し、ＴＣＰ／ＵＤＰポート番号、ＩＰアドレス、プロトコルナンバー、ＤＳ／ＴＯＳ（Differentiated Service Field/Type Of Service）、イーサタイプといったＬ２〜Ｌ４パラメータの識別を行う。
【００３６】
次にアドレス検索部４においては、イーサネット（登録商標）フレームの送信元アドレスと受信したポート番号をアドレステーブルに記録するアドレス学習処理、イーサネット（登録商標）フレームの宛先アドレスとＭＡＣテーブル８から、送信ポートを決定するアドレス探索処理、古くなったテーブルを削除するエージング処理等を行う。
【００３７】
続いてパケット複製部５においては、ＩＰ電話のＬＥＤ制御のためＣＰＵからの指示により、通話時は（Ｎ−１）台の非通話端末へＬＥＤ制御パケットを送信するための（Ｎ−１）個のデータ複製、グループ着信時にはＮ台の端末へＬＥＤ制御パケットを送信するためのＮ個のデータ複製、ＩＰ電話ＬＥＤテーブル１０に基づいた宛先アドレスのインクリメント処理等を行い、各ＩＰ電話端末の状態を表わすＩＰ電話ＬＥＤテーブル１０には各ＩＰ電話端末からのＬＥＤ状態を示す応答パケットの内容を複製してＩＰ電話ＬＥＤテーブル１０を更新する。
【００３８】
次に、スイッチファブリック部６においては、ＭＡＣテーブル８やＶＬＡＮテーブル９に基づいて宛先ＭＡＣアドレスとＶＬＡＮ識別子から出力ポートを検索し、パケットをスイッチングして対応するパケットバッファ１１に高速転送する。このときＱｏＳ部７においては、ＵＤＰ／ＴＣＰポート番号、ＤＳＣＰ（Dame Script Control Protocol）値、イーサタイプ、ＩＰアドレスによりトラフィックを認識、分類、優先処理をおこない、ＴｘＦＩＦＯ部２からＭＡＣ部１を経由して外部ポートへ転送される。
【００３９】
ここで、ＭＡＣテーブル８、ＶＬＡＮテーブル９、ＩＰ電話ＬＥＤテーブル１０、パケットバッファ１１はメモリで構成されており、ＭＡＣテーブル８は学習されたユニキャストＭＡＣアドレスとそのルーティング情報を保有しており、ＶＬＡＮテーブル９はそのフレームが属するＶＬＡＮ情報（ポート、タグ、ＭＡＣアドレス）を保有しており、ＩＰ電話ＬＥＤテーブル１０はＩＰ−ＰＢＸ装置に接続されたＩＰ電話端末のＬＥＤステータス情報を保有しており、パケットバッファ１１は転送されるパケットデータが格納されている。
【００４０】
ここで実施の形態１のＩＰ電話ＬＥＤテーブル１０について、図２を用いて説明する。図２に示すように、ＩＰ電話ＬＥＤテーブル１０は、ＭＡＣアドレス、ポート番号、ＬＥＤ０〜ｎの要素から構成される。例えば、ＭＡＣアドレス「００−ＤＤ−００−３３−４４−７７」の端末がＬＡＮスイッチのポート番号５に接続されており、ＬＥＤ０を使用しており、ＭＡＣアドレス「００−ＤＤ−００−３４−５０−５６」の端末はＬＥＤ１を使
用、ＭＡＣアドレス「０８−００−２０−００−５５−１２」の端末はＬＥＤ３を使用、ＭＡＣアドレス「ＤＥ−ＡＢ−０４−６６−００−１Ｆ」の端末はＬＥＤｎを使用している。そして、ＬＥＤの状態が変化する毎にＩＰ電話端末からの制御パケットを受信して常時テーブルを更新していく。
【００４１】
図１において、ＬＥＤインターフェース１２はＩＰ−ＰＢＸ装置の前面パネルにリンク状態、全二重／半二重、転送スピード等を表示するＬＥＤ制御信号である。シリアルインターフェース１３は初期化用ＥＥＰＲＯＭ等他の周辺デバイスとのインターフェース信号である。ＣＰＵインターフェース１４はＰＢＸの制御及び呼制御等を行う外部ＣＰＵとのインターフェース信号である。
【００４２】
ここで、マネージメント部１５は、障害解析のため保有するＭＩＢカウンターの情報をＳＮＭＰ処理により遠隔地から管理するものである。コンフィギュレーションレジスタ１６は、呼制御用パケットの外部ＣＰＵへの転送設定、音声パケットのＶｏＩＰゲートウェイへの転送設定、Ｌ２〜Ｌ４パラメータによるパケット・フィルタリング設定等基本的なＬＡＮスイッチの設定情報を行うレジスタである。ＭＤＩＯインターフェース１７は外部ＰＨＹチップのレジスタを設定するためのインターフェースである。
【００４３】
このように実施の形態１のＬＡＮスイッチは、ＩＰ−ＰＢＸ装置に接続されるＩＰ電話端末のボタンＬＥＤ表示制御をテーブル化し、ＩＰ電話ＬＥＤテーブル１０のステータス状態に基づいて、ＬＥＤ制御パケットのデータの複製及び宛先ＭＡＣアドレスのインクリメントを行い、これにより（Ｎ−１）台の端末のＩＰ電話に対して一斉に制御パケットを送信し、また、ＩＰ電話端末からの確認パケットを受信したときは、ＩＰ電話ＬＥＤテーブル１０にそのステータスを反映するのをハードウェアで処理するため、ＣＰＵインターフェース１４を介しての外部ＣＰＵの呼制御処理能力に左右されずに、ハブ増設により物理的なポート数に制限を受けずにＩＰ電話端末を増設することができる。
【００４４】
（実施の形態２）
次に、本発明の実施の形態２のＬＡＮスイッチについて説明する。図３は本発明の実施の形態２におけるＩＰ−ＰＢＸ装置のＬＡＮスイッチブロック図、図４はイーサタイプによる識別方法を説明する図である。なお、実施の形態１における図１の符号と同一符号のものは同一機能を有するのでその説明は省略する。
【００４５】
図３において、５１はパケットデコード部である。このパケットデコード部５１は、従来の方法がＬＥＤ制御パケットをＵＤＰポート番号によって識別するのに対して、イーサネット（登録商標）フレームのイーサタイプにより受信したＬＥＤ制御パケットをハードウェアトラップし、ＩＰ電話ＬＥＤテーブル１０におけるステータスの内容を更新することができる。
【００４６】
ここで、図４に示すように、イーサネット（登録商標）フレームは、プリアンブル８バイト、宛先アドレス６バイト、送信元アドレス６バイト、イーサタイプ２バイト、送信データｎバイト、フレーム検査シーケンス４バイトで構成されており、このうちイーサタイプは、例えば「０ｘ０８００」はＩＰｖ４、「０ｘ８６ＤＤ」はＩＰｖ６に割り付けられている。その中の空きの番号「０ｘＸＸＸＸ」（０ｘはヘキサ表示）をＩＰ電話のＬＥＤ制御パケットに割り付け、その割り付けられた番号「０ｘＸＸＸＸ」のパケットを受信した場合には、パケットデコード部５１においてデコードしてハードウェアトラップし、ＩＰ電話ＬＥＤテーブル１０にその内容を反映するものである。
【００４７】
このように実施の形態２のＬＡＮスイッチにおいては、パケットデコード部５１でＬＥＤ制御パケットを識別するために、イーサネット（登録商標）フレームのイーサタイプ２
バイトの空き番号を使用して、レイヤ２レベルでＩＰ電話のＬＥＤ制御パケットを識別することができる。
【００４８】
（実施の形態３）
次に、本発明の実施の形態３におけるＩＰ−ＰＢＸ装置について説明する。図５は本発明の実施の形態３におけるＩＰ−ＰＢＸ装置のブロック図である。
【００４９】
７１はレガシーＰＢＸエンジンカード、７２はルーターカード、７３はサーバーカード、７４はコールプロセッサーカード、７５はＶｏＩＰ（Voice over Internet Protocol）カード、７６はＬＡＮスイッチ、７７はＰＨＹ（Physical Layer）＆トランス部、７８はＲＪ４５コネクタ、７９は内部インターフェース用ＭＡＣスイッチ部である。
【００５０】
本発明の実施の形態３における専用モジュールは、レガシーＰＢＸエンジンカード７１、ルーターカード７２、サーバーカード７３、コールプロセッサーカード７４、ＶｏＩＰカード７５等の各モジュールである。このほかの専用モジュールとしては後述するＤＨＣＰサーバー１０１等がある。
【００５１】
以上のように構成されたＩＰ−ＰＢＸ装置において、以下その動作について説明する。図５において、レガシーＰＢＸエンジンカード７１は既存のＰＢＸ機能を実現するもので、加入者網への外線インターフェースを備えている。ルーターカード７２はゲートウェイの機能を実現し、ＷＡＮへのインターフェースを備える。サーバーカード７３はアプリケーションレベルの機能を実現する。コールプロセッサーカード７４はＶｏＩＰの呼制御機能を実現するためのカードである。ＶｏＩＰカード７５はＩＰ電話から外線の加入者網へかけるため、Ｇ.７１１、Ｇ.７２３、Ｇ.７２９等で音声圧縮されたＶｏＩＰ音声パケットを６４ＫｂｐｓのＴＤＭデータへ変換、またその逆を実現する。
【００５２】
次に、ＬＡＮスイッチ７６はＩＰ−ＰＢＸに接続されたＩＰ電話をスイッチングするもので、ＰＨＹ＆トランス部７７はイーサネット（登録商標）へ接続するためのトランシーバー及びパルストランスである。ＲＪ４５コネクタ７８はＬＡＮインターフェースであり、内部インターフェース用ＭＡＣスイッチ部７９は各内部カードへ接続するためのカードである。
【００５３】
例えば、ＩＰ電話から加入者網の外線に電話する場合、ＲＪ４５コネクタ７８から受信したＶｏＩＰ呼制御パケットはＰＨＹ＆トランス部７７を経由してＬＡＮスイッチ７６に接続されたポートに入り、コールプロセッサーカード７４に接続するため内部インターフェース用ＭＡＣスイッチ部７９を経由してＭＩＩ（Media Independent Interface）インターフェースで接続される。コールプロセッサーカード７４では電話番号から加入者網への発信であることを判別し、レガシーＰＢＸエンジンカード７１を介して発信から相手側に着信するまでの呼制御の処理がなされ、その後通話するため、ＶｏＩＰ音声パケットは内部インターフェース用ＭＡＣスイッチ部７９を介して、ＶｏＩＰカード７５、レガシーＰＢＸエンジンカード７１を介して加入者網の外線へ接続される。また、ＩＰネットワーク網に電話する場合は上記と同様に、内部インターフェース用ＭＡＣスイッチ部７９を介してルーターカード７２を介してＩＰネットワーク網へ接続される。このようにＩＰ−ＰＢＸの内部カードであるルーターカード７２、サーバーカード７３、コールプロセッサーカード７４、ＶｏＩＰカード７５は内部インターフェース用ＭＡＣスイッチ部７９によりスイッチングされて接続される。
【００５４】
このときＬＡＮスイッチ７６のような汎用スイッチを使用している場合、内部カードと接続するためにポート数が削減されてしまうが、内部インターフェース用ＭＡＣスイッチ部７９を備えることによってこの問題を解決でき、さらに内部カードとのインターフェー
スもＭＩＩ、ＲＭＩＩ、ＳＭＩＩ、ＧＭＩＩといった内部カードの仕様に応じたインターフェースを選択することができる。
【００５５】
このように実施の形態３のＩＰ−ＰＢＸ装置は、汎用スイッチから内部拡張用にＭＩＩインターフェースを追加するために専用ＭＡＣスイッチを備えており、外部ポート数を削減することなしに内部インターフェースを拡張することが可能になる。
【００５６】
（実施の形態４）
次に、本発明の実施の形態４のＬＡＮスイッチについて説明する。図６は本発明の実施の形態４におけるＩＰ-ＰＢＸ装置のＬＡＮスイッチブロック図である。なお、実施の形態１における図１の符号と同一符号のものは同一機能を有するのでその説明は省略する。
【００５７】
図６において、８１はパケットカウンターである。以下その動作について説明する。マネージメント部１５はＳＮＭＰ（Simple Network Management Protocol）によるネットワーク管理を行い、ＭＩＢ（Management Information Base）を保有している。このＭＩＢはＬＡＮスイッチが持っている情報であり、例えばコリジョン数、エラーフレーム数、ＶＬＡＮの設定情報といった情報が保有される。
【００５８】
例えば、ＩＰ−ＰＢＸ装置のアプリケーションとして、ホテル等に設置した場合における、ユーザーいわゆるお客のＩＰ電話の使用に応じた課金がある。この課金を行うためには使用している端末を特定してそのトラフィック情報、いわゆるパケット数を課金情報としてマネージメント部１５のＳＮＭＰで収集しなければならない。
【００５９】
そこで実施の形態４においては、端末を特定するためにＭＡＣアドレスまたはＩＰアドレス毎にパケットをカウントすることができるパケットカウンター８１をＭＩＢカウンターとして設けている。パケットカウンター８１は、ＭＡＣアドレスカウンターまたはＩＰアドレスカウンターが採用され、ＭＡＣアドレスまたはＩＰアドレス毎にパケット数をカウントすることができるので、使用している端末ごとに課金情報の情報を得ることができる。
【００６０】
このように、ＩＰ−ＰＢＸ装置においてパケットカウンター８１を設けることにより、ＭＡＣアドレスまたはＩＰアドレス毎にパケット数をカウントし、各端末のトラフィック情報を収集して課金することができる。
【００６１】
（実施の形態５）
次に、本発明の実施の形態５のＬＡＮスイッチについて説明する。図７は本発明の実施の形態５におけるＩＰ−ＰＢＸ装置のＬＡＮスイッチブロック図である。なお、実施の形態１における図１の符号と同一符号のものは同一機能を有するのでその説明は省略する。
【００６２】
図７において、９１はプライオリティテーブルである。以下その動作について説明する。
【００６３】
ＭＡＣアドレスは先頭の２４ビットが各メーカーに固有に割り当てられたベンダＩＤ、後続の２４ビットが任意の番号（ＬＡＮコントローラの製造番号）となっていて、全体で４８ビットから構成されている。この先頭２４ビットを製造段階でプライオリティテーブル９１に登録している。例えば、ＭＡＣアドレス「００−ＤＤ−００−３３−４４−７７」は先頭の「００ＤＤ００」がベンダＩＤであり、「３３４４７７」が製造番号である。この「００ＤＤ００」がプライオリティテーブル９１に登録されている。
【００６４】
従って、メーカーごとにＭＡＣアドレスの先頭２４ビットが異なるから、このベンダＩ
Ｄごとに優先順位を与えておけば、パケットを優先的に処理することができる。例えば、同時に複数のパケット処理をしなければならない場合に、上述のベンダＩＤを検出すると優先的に処理をすることができる。すなわち、ベンダＩＤに該当する２４ビットを検出するとパケットデコード部３でデコードし、デコード結果の「００ＤＤ００」をプライオリティテーブル９１で参照し、ベンダＩＤに対する優先度を求めればよい。その優先度に応じて複数の優先度に対応した出力キューにＱｏＳ部７により割り振られ、優先的にパケット処理を行うことができる。
【００６５】
このように、各メーカー固有のＭＡＣアドレスを予めＬＡＮスイッチに登録するとともに、ベンダＩＤをプライオリティテーブル９１に登録することにより、特定メーカーのＩＰ電話端末のパケットを優先的に処理し、音質遅延による音質劣化を少なくすることができる。
【００６６】
（実施の形態６）
次に、本発明の実施の形態６のＩＰ−ＰＢＸ装置について説明する。図８は本発明の実施の形態６におけるＩＰ−ＰＢＸ装置のブロック図、図９はＤＨＣＰおよび音声ＶＬＡＮの設定方法を説明する図である。なお、実施の形態３における図５と符号と同一符号のものは同一機能を有するのでその説明は省略する。
【００６７】
図８において、１０１はＤＨＣＰ（Dynamic Host Configuration Protocol）サーバーである。図９において、１１１はＩＰ−ＰＢＸ装置、１１２，１１２ａ，１１２ｂ，１１２ｃはＩＰ電話、１１３，１１３ａ，１１３ｂ，１１３ｃはコンピュータ装置（以下、ＰＣ）である。以下その動作について図８、図９を用いて説明する。
【００６８】
ＤＨＣＰは端末のネットワーク設定を自動化するためのプロトコルであり、ＩＰ電話やＰＣからＤＨＣＰを発見するためのパケットがブロードキャストされると、ＤＨＣＰサーバー１０１は設定情報を送信する。すなわち、ＩＰ電話はネットワークに接続または電源ＯＮされると、ＤＨＣＰディスカバーと呼ばれるＤＨＣＰ要求メッセージをブロードキャストする。このメッセージを受け取ったＤＨＣＰサーバー１０１はＩＰ電話に対してＤＨＣＰオファー・パケットを返信してＩＰアドレスの提案を行う。このときＤＨＣＰサーバー１０１は予め自分が割り当てられられるＩＰアドレスを確保しており、その中から選んで提案することになる。
【００６９】
ところで、ＩＰ電話はＭＡＣアドレスによりメーカーが識別できるように予めメモリにＭＡＣアドレスが記憶されている。そして、ＩＰ電話からＤＨＣＰサーバー１０１へ送信するＤＨＣＰ要求メッセージに収められているＭＡＣアドレスにより、ＩＰ電話のメーカーを判別し、ＩＰアドレスを、例えば図９に示すようにネットワークアドレス「１０．６６．１００．０／２４」でＶＬＡＮグループ化できるようにし、ＩＰ電話１１２ａには「１０．６６．１００．２」、ＩＰ電話１１２ｂには「１０．６６．１００．３」、ＩＰ電話１１２ｃには「１０．６６．１００．４」を割り当てる。そしてＰＣ１１３に対してはネットワークアドレス「１０．６６．２００．０／２４」でＶＬＡＮグループ化できるように割り当てる。
【００７０】
次いで、ＤＨＣＰサーバー１０１からオファー・パケットを受信したＩＰ電話及びＰＣは、ＤＨＣＰサーバー１０１から提案されたＩＰアドレスを実際に使用したい旨を伝えるＤＨＣＰリクエストを送信して正式にＩＰアドレスの割り当ての要求する。このＤＨＣＰリクエストを受信したＤＨＣＰサーバー１０１は、ＩＰ電話及びＰＣに対して使用許諾にあたるＤＨＣＰアックを送り、一連のＩＰアドレスの割り当てが承認される。
【００７１】
このように実施の形態６においては、ＩＰ−ＰＢＸ装置１１１に端末のＭＡＣアドレス
を区別してＩＰアドレスを付与することが可能なＤＨＣＰサーバー１０１を設けることにより、ＰＣとＩＰ電話端末を区別したネットワークアドレスでＩＰアドレスを自動で簡単に設定することができる。
【００７２】
（実施の形態７）
次に、本発明の実施の形態７について説明する。図１０は本発明の実施の形態７におけるＩＰ−ＰＢＸ装置のＬＡＮスイッチブロック図である。なお、実施の形態１における図１と同一符号のものは同一機能を有するのでその説明は省略する。
【００７３】
図１０において、１２１はＶＬＡＮテーブルである。以下その動作について説明する。ＩＰ−ＰＢＸ装置に内蔵されたＬＡＮスイッチのＶＬＡＮテーブル１２１には既知のインデックスを予め固有のＩＰアドレス、またはＭＡＣアドレスによる音声ＶＬＡＮの自動設定用として確保している。
【００７４】
図１０に示すＶＬＡＮテーブル１２１は、ＶＬＡＮインデックス（Ｖｉｄｘ１００）が予めＩＰ電話専用に確保されて設定されている。すなわち、実施の形態６と同様にＩＰ電話とＰＣを区別したネットワークアドレス「１０．６６．１００．０／２４」、「１０．６６．２００．０／２４」を付与されており、ＩＰアドレスでＩＰ電話とＰＣを区別できるものである。従って、ＶＬＡＮインデックス１００「Ｖｉｄｘ１００：１０．６６．１００．０／２４」がＩＰ電話専用のＩＰアドレスとなり、ＩＰ電話の音声ＶＬＡＮを自動で簡単に設定できる。同様に、ＭＡＣアドレスのベンダＩＤもしくは製造番号を使い、ＬＡＮコントローラの種別を識別すれば、ＩＰ電話の音声ＶＬＡＮを自動で簡単に設定できる。
【００７５】
このように実施の形態７においては、ＩＰ−ＰＢＸ装置に内蔵されたＬＡＮスイッチのＶＬＡＮテーブル１２１に既知のインデックスを設け、このインデックスに予め固有のＩＰアドレスまたはＭＡＣアドレスによる音声ＶＬＡＮの自動設定用のアドレスを確保することにより、ＩＰ電話の音声ＶＬＡＮを自動で簡単に設定することができ、ブロードキャストによる不要なトラフィックを防ぎ、セキュリティを守ることができる。
【００７６】
（実施の形態８）
次に、本発明の実施の形態８のＬＡＮスイッチについて説明する。図１１は本発明の実施の形態８におけるＩＰ−ＰＢＸ装置のＬＡＮスイッチブロック図である。なお、実施の形態１における図１と同一符号のものは同一機能を有するのでその説明は省略する。
【００７７】
図１１において、１３１は転送先テーブルである。以下その動作について説明する。まず、転送設定方法について説明する。ＩＰ−ＰＢＸ装置に接続されたＩＰ電話の転送設定ボタンを押すことにより、ＩＰ電話は転送設定モードに移行し、その状態をＬＣＤに表示する。次いで転送先の電話番号をＬＣＤで確認しながらテンキーにより押下して送信すると、その制御パケットを受信したＩＰ−ＰＢＸ装置は転送先電話番号を検知し、書き換え可能なメモリである転送先テーブル１３１に記憶する。その後、ＩＰ電話に対して転送先設定が完了した旨を通知する制御パケットをＩＰ電話に送信し、ＩＰ電話はＬＣＤに転送設定が正常に完了したことを表示する。さらにユーザーはＩＰ電話の転送ボタンを押下し、転送モードにして外出する。
【００７８】
外出中に転送モードに設定したＩＰ電話に着信があった場合、ＩＰ−ＰＢＸ装置は転送先テーブル１３１を参照し、その転送先情報である転送先ポートに対して呼制御パケットを転送し、転送先との間で呼制御が完了すると通話可能となる。
【００７９】
また、転送先を複数設定し、優先順位をつけることもできる。その優先順位は自由に設
定できるが、通常は電話の通話料金が安い順番に設定する。例えば、最高優先度は他のＩＰ電話、次はＩＥＥＥ８０２．１１ｂ無線電話、そして携帯電話という順に設定していくことができる。
【００８０】
このように実施の形態８の構成によると、不在時、加入者網やインターネット網からの電話がかかってきても他の電話装置へ転送が可能となり、通話料金が安い電話端末のように電話種別を選択して呼び出し、接続可能な電話端末に応答することができる。
【産業上の利用可能性】
【００８１】
本発明は、ＣＰＵの呼制御処理能力に左右されず、ハブ増設によって物理的なポート数が制限されずにＩＰ電話端末を増設でき、ＩＰ電話の課金や優先制御、転送制御、及び音声ＶＬＡＮの簡単設定ができるＩＰ−ＰＢＸ装置に適用できる。
【図面の簡単な説明】
【００８２】
【図１】本発明の実施の形態１におけるＩＰ−ＰＢＸ装置のＬＡＮスイッチブロック図
【図２】本発明の実施の形態１におけるＩＰ電話ＬＥＤテーブルの説明図
【図３】本発明の実施の形態２におけるＩＰ−ＰＢＸ装置のＬＡＮスイッチブロック図
【図４】イーサタイプによる識別方法を説明する図
【図５】本発明の実施の形態３におけるＩＰ−ＰＢＸ装置のブロック図
【図６】本発明の実施の形態４におけるＩＰ-ＰＢＸ装置のＬＡＮスイッチブロック図
【図７】本発明の実施の形態５におけるＩＰ−ＰＢＸ装置のＬＡＮスイッチブロック図
【図８】本発明の実施の形態６におけるＩＰ−ＰＢＸ装置のブロック図
【図９】ＤＨＣＰおよび音声ＶＬＡＮの設定方法を説明する図
【図１０】本発明の実施の形態７におけるＩＰ−ＰＢＸ装置のＬＡＮスイッチブロック図
【図１１】本発明の実施の形態８におけるＩＰ−ＰＢＸ装置のＬＡＮスイッチブロック図
【図１２】従来のＩＰ−ＰＢＸ装置のＬＡＮスイッチブロック図
【図１３】従来のＩＰ電話の基本的な呼制御手順を示すシーケンスチャート
【符号の説明】
【００８３】
１    ＭＡＣ部
２    ＦＩＦＯ部
３    パケットデコード部
４    アドレス検索部
５    パケット複製部
６    スイッチファブリック部
７    ＱｏＳ部
８    ＭＡＣテーブル
９，１２１    ＶＬＡＮテーブル
１０    ＩＰ電話ＬＥＤテーブル
１１    パケットバッファ
１２    ＬＥＤインターフェース
１３    シリアルインターフェース
１４    ＣＰＵインターフェース
１５    マネージメント部
１６    コンフィギュレーションレジスタ
１７    ＭＤＩＯインターフェース
２１，２２，１１２，１１２ａ，１１２ｂ，１１２ｃ    ＩＰ電話
２３，２４，１１１    ＩＰ−ＰＢＸ装置
２５    ＩＰネットワーク網
２６    呼制御用サーバー（ＳＩＰサーバー）
５１    パケットデコード部
７１    レガシーＰＢＸエンジンカード
７２    ルーターカード
７３    サーバーカード
７４    コールプロセッサーカード
７５    ＶｏＩＰカード
７６    ＬＡＮスイッチ
７７    ＰＨＹ＆トランス部
７８    ＲＪ４５コネクタ
７９    内部インターフェース用ＭＡＣスイッチ部
８１    パケットカウンター
９１    プライオリティテーブル
１０１    ＤＨＣＰサーバー
１１３，１１３ａ，１１３ｂ，１１３ｃ    ＰＣ
１３１    転送先テーブル
【図１】
2005184192.tif 000003
【図２】
2005184192.tif 000004
【図３】
2005184192.tif 000005
【図４】
2005184192.tif 000006
【図５】
2005184192.tif 000007
【図６】
2005184192.tif 000008
【図７】
2005184192.tif 000009
【図８】
2005184192.tif 000010
【図９】
2005184192.tif 000011
【図１０】
2005184192.tif 000012
【図１１】
2005184192.tif 000013
【図１２】
2005184192.tif 000014
【図１３】
2005184192.tif 000015